(57)【要約】【課題】棚板上に載置された物品を均一に照明ができ、照明器具が目立たず、意匠性に優れた照明器具付き棚受け装置を提案する。【解決手段】棚板を支持する基体とこの基体の内部に設けられて下段の棚板上を照明する照明器具からなり、この照明器具が透光パネルにより隠蔽されたもので、照明器具が目立たず、デザイン性に優れる。又、基体の下部が長手方向に亘って開口されて開口部となされ、基体の背面に形成された垂直壁とこの垂直壁の上端から前方に延設された水平部からなり、垂直壁と水平部の間に照明器具が設けられ、前記基体の開口部に透孔パネルが設けられたもので、照明器具が基体内に収納されるので、照明器具が目立たず、デザイン性にさらに優れる。【選択図】        図１
2007117274.tif 000002
【特許請求の範囲】
【請求項１】
棚板を支持する基体とこの基体の内部に設けられて下段の棚板上を照明する照明器具からなり、この照明器具が透光パネルにより隠蔽されたことを特徴とする照明器具付き棚受け装置。
【請求項２】
基体の下部が長手方向に亘って開口されて開口部となされ、基体の背面に形成された垂直壁とこの垂直壁の上端から前方に延設された水平部からなり、垂直壁と水平部の間に照明器具が設けられ、前記基体の開口部に透孔パネルが設けられたことを特徴とする請求項１記載の照明器具付き棚受け装置。
【発明の詳細な説明】
【技術分野】
【０００１】
本発明は、店舗や住宅の壁面に設けられ、棚板を支持するための棚受け装置に関し、特にこの棚受け装置に照明器具が設けられた照明器具付き棚受け装置に関する。
【背景技術】
【０００２】
従来、照明器具の設けられた棚受け装置が種々提案されている。例えば特開平８−１４８０２４号公報には、ランプが保持される灯体部と、前記ランプへの給電部品が収納された本体部とを備えてなり、ブラケットに載置された棚部材を有する棚装置に取り付けられる棚装置用照明器具において、前記灯体部を対をなすブラケット間であって前記棚部材の下側に取り付けると共に、前記本体部を前記棚部材の下側であって前記ブラケットに略当接させて配設したことを特徴とする棚装置用照明器具が提案されている。
【０００３】
又、特開２００１−１１２５９０号公報には、 左右１対の支柱の前面に、ほぼ等高をなして前方を向き、かつ前端部側面に係合孔が穿設された左右１対の棚板受けブラケットを設け、左右方向を向く連結杆の両端に突設した外向きの突起を前記係合孔に嵌合し、かつ連結杆の両端に設けた下向きの鉤片を、各棚板受けブラケットの前端部上縁に係止させることにより、棚板受けブラケットの前端部同士を、連絡杆により連結し、それらの上に棚板を載置するようにし、連結杆の下面に、照明器具用のホルダを取り付けた、陳列棚における棚板支持装置が提案されている。
【特許文献１】特開平８−１４８０２４号公報
【特許文献２】特開２００１−１１２５９０号公報
【発明の開示】
【発明が解決しようとする課題】
【０００４】
しかしながら上記の如き特開平８−１４８０２４号公報に提案されている棚装置用照明器具においては、ランプが保持される灯体部と、前記ランプへの給電部品が収納された本体部とを備えてなり、ブラケットに載置された棚部材を有する棚装置に取り付けられる棚装置用照明器具において、前記灯体部を対をなすブラケット間であって前記棚部材の下側に取り付けると共に、前記本体部を前記棚部材の下側であって前記ブラケットに略当接させて配設したため、給電部品が収納された本体部がブラケットに沿うように位置して目立たず、また、棚部材上に陳列される物品は、通常はブラケットの近傍には置かれないため、棚部材の大部分においては灯体部のみが見えて陳列された物品が見やすいほか、棚装置全体のデザイン性も良く、さらには、本体部がブラケットの長さ寸法以下とできて小型化が図れるという特徴を有するものの、棚板の先端に照明器具が取り付けられるために、棚の手前側が明るく照明されるものの、棚の奥の照明が不十分で、棚先端が明るいことと相まって、棚の奥に載置された物品が視認し難いという問題があった。
【０００５】
又、特開２００１−１１２５９０号公報に提案されている陳列棚における棚板支持装置においては、連結杆を利用して、照明器具を保持することができるので、照明器具の支持手段を別に設ける必要がなく、部品点数を削減できるものの、照明器具が露出しているので、意匠性に問題があった。
【０００６】
そこで本発明者は従来の欠点に鑑み鋭意研究の結果、棚板上に載置された物品を均一に照明ができ、照明器具が目立たず、意匠性に優れた照明器具付き棚受け装置を提案する。
【課題を解決するための手段】
【０００７】
本発明請求項１記載の照明器具付き棚受け装置は、棚板を支持する基体とこの基体の内部に設けられて下段の棚板上を照明する照明器具からなり、この照明器具が透光パネルにより隠蔽されたもので、照明器具が目立たず、デザイン性に優れる。
【０００８】
本発明請求項２記載の照明器具付き棚受け装置は、基体の下部が長手方向に亘って開口されて開口部となされ、基体の背面に形成された垂直壁とこの垂直壁の上端から前方に延設された水平部からなり、垂直壁と水平部の間に照明器具が設けられ、前記基体の開口部に透孔パネルが設けられたもので、照明器具が基体内に収納されるので、照明器具が目立たず、デザイン性に優れる。
【発明の効果】
【０００９】
上述の如く、本発明請求項１記載の照明器具付き棚受け装置は、棚板を支持する基体とこの基体の内部に設けられて下段の棚板上を照明する照明器具からなり、この照明器具が透光パネルにより隠蔽されたもので、照明器具が目立たず、デザイン性に優れる。
【００１０】
本発明請求項２記載の照明器具付き棚受け装置は、基体の下部が長手方向に亘って開口されて開口部となされ、基体の背面に形成された垂直壁とこの垂直壁の上端から前方に延設された水平部からなり、垂直壁と水平部の間に照明器具が設けられ、前記基体の開口部に透孔パネルが設けられたもので、照明器具が基体内に収納されるので、照明器具が目立たず、デザイン性に優れる。
【発明を実施するための最良の形態】
【００１１】
図１は本発明照明器具付き棚受け装置の実施形態の一例を示す斜視図である。
図に於いて、１は基体であり、上面には、棚板２が載置されて物品を支持するようになされている。基体１の下部は長手方向に亘って開口されて開口部１１となされ、基体の背面に形成された垂直壁１２とこの垂直壁１２の上端から前方に延設された水平部１３からなり、垂直壁１２と水平部１３の間に照明器具４が設けられている。この開口部１１には、透光性のパネル３が取り付けられて、照明窓部となされている。
【００１２】
図２は本発明照明器具付き棚受け装置の実施形態の一例を示す分解図である。基体１は下部が長手方向に亘って開口された中空体であり、その中空部分に蛍光灯からなる照明器具４が設けられる。基体１の開口部１１には透光性のパネル３が設けられて基体１の両端には板状のキャップが設けられ、基体１の中空部分に設けられた照明器具４が見えないようになされている。基体１の両端に設けられたキャップの一方には、透孔が穿設され、グロメット５を介して電源コード６が挿通され、電源コード６の一端に設けられたコネクターが接続されている。
【００１３】
本発明における透光性のパネル３は、基体１の内部に収納された照明器具４から発せられる光を透過するものであればよく、乳白色の合成樹脂パネルや、透孔の穿設された金属板などが適宜用いられればよい。透光性のパネル３は、光を透過するものであればよいが、内部に収納された照明器具４が目立たないようするために不透明である方が好ましい。
【００１４】
照明器具４は、基体１の両端にソケットが設けられ、このソケットに直管形の蛍光灯が設けられ、このソケット間に通電されることにより蛍光灯が発光するようになっている。ソケットは基体１に直接取り付けられてもよいが、金属板からなる長尺の反射板の両端にソケットが設けられ、この反射板が基体１に設けられてもよい。又、照明器具４は蛍光灯に限るものではなく、電灯や発光ダイオードなどの適宜光源が用いられればよい。
【００１５】
本発明照明器具付き棚受け装置における基体１は、アルミ合金押し出し型材などから好適に製作される。基体１は、棚板２を支持するとともに、前記したように内部に照明器具４が設けられ、下段の棚板２上を照明し、棚板２上の物品が見やすくなされている。
【図面の簡単な説明】
【００１６】
【図１】本発明照明器具付き棚受け装置の実施形態の一例を示す斜視図である。
【図２】本発明照明器具付き棚受け装置の実施形態の一例を示す分解図である。
【符号の説明】
【００１７】
１    基体
１１  開口部
１２  垂直壁
１３  水平部
２    棚板
３    透光性のパネル
４    照明器具
５    グロメット
６    電源コード
【図１】
2007117274.tif 000003
【図２】
2007117274.tif 000004